(57)【要約】【課題】  長さ調整可能なフトン篭において、ジョイント部におけるコイル線の施工を容易にし、ジョイント作業能率を向上させる。【解決手段】  底網と、底網の両端に幅方向に設けた幅網と、底網に長さ方向に設けた側網で箱状に形成し、内部を仕切るために幅方向に設けた仕切網を有するフトン篭であって、底網を複数の部分底網から長さ調節可能に形成し仕切網を部分底網のジョイント端部以外の中間部に設ける。ジョイント端部に仕切網がないので、コイル線で連結する際に、単に部分底網どうし又は部分側網どうしを連結すれば良く、ジョイント部におけるコイル線の施工が容易となる。【選択図】      図５
2006037587.tif 000002
【特許請求の範囲】
【請求項１】
底網と、該底網の両端に幅方向に設けた幅網と、該底網に長さ方向に設けた側網で箱状に形成され、内部を仕切るために幅方向に設けられた仕切網を有するフトン篭であって、前記底網が複数の部分底網から長さ調節可能に形成され、前記仕切網が該部分底網のジョイント端部以外の中間部に設けられていることを特徴とするフトン篭。
【請求項２】
請求項１のフトン篭において、前記側網が両端部及び中間に設けられていることを特徴とするフトン篭。
【請求項３】
請求項１又は２のフトン篭において、前記側網が複数の部分側網からなり、前記部分底網の少なくとも一辺に長さの等しい部分側網を一体に設けると共に、中間部に長さが部分底網の幅と等しい仕切網を一体に設けたユニットとしたことを特徴とするフトン篭。
【発明の詳細な説明】
【技術分野】
【０００１】
本発明は、法面保護工、護岸工などに使用されるフトン篭で、特に長さ調整可能なフトン篭に関する。
【背景技術】
【０００２】
法面保護工、護岸工などに使用されるフトン篭は、例えば下記特許文献１〜５等に開示されている。このようなフトン篭は、法面などに付設し内部に割石を詰め、付設面の安定を図るものである。このうち、特許文献１では幅調整可能なフトン篭が、特許文献５には長さ調整可能なフトン篭が提案されている。
【特許文献１】特開平５−１９５５２０号公報
【特許文献２】特開平６−１４６２３７号公報
【特許文献３】特開平１１−６１８３５号公報
【特許文献４】特開２０００−１７０１３５号
【特許文献５】特許第３２３６９９３号公報
【発明の開示】
【発明が解決しようとする課題】
【０００３】
前記特許文献５の長さ調整可能なフトン篭は、底網を複数の部分底網から形成して長さ調節可能とし、ジョイントする２つの部分底網の一方の端部に仕切網を設けている。ジョイント部は、コイル線で連結するのであるが、このジョイント部では底網に対して直角に仕切網が交わり、側網に対しても仕切網が直角に交わっているので、これらのＴ字状に交わった網の交点にコイル線を施工しなければならず、ジョイント作業が煩雑で能率が悪かった。本発明は、ジョイント部におけるコイル線の施工を容易にし、ジョイント作業能率を向上させることを課題としている。
【課題を解決するための手段】
【０００４】
〔構成１〕
本発明は、底網と、該底網の両端に幅方向に設けた幅網と、該底網に長さ方向に設けた側網で箱状に形成され、内部を仕切るために幅方向に設けられた仕切網を有するフトン篭であって、前記底網が複数の部分底網から長さ調節可能に形成され、前記仕切網が該部分底網のジョイント端部以外の中間部に設けられていることを特徴とするフトン篭である。
【０００５】
〔構成２〕
また本発明は、前記構成１のフトン篭において、前記側網が両端部及び中間に設けられていることを特徴とするフトン篭である。中間に設けた側網によって、フトン篭内部が縦に仕切られる。
【０００６】
〔構成３〕
また本発明は、前記構成１又は２のフトン篭において、前記側網が複数の部分側網からなり、前記部分底網の少なくとも一辺に長さの等しい部分側網を一体に設けると共に、中間部に長さが部分底網の幅と等しい仕切網を一体に設けたユニットとしたことを特徴とするフトン篭である。フトン篭をユニット化し、ユニットを工場生産することで、現場においてはユニットを組み立てることで容易にフトン篭を施工することができる。
【発明の効果】
【０００７】
本発明のフトン篭は、ジョイント端部に仕切網がないので、コイル線で連結する際に、単に部分底網どうし又は部分側網どうしを連結すれば良く、ジョイント部におけるコイル線の施工が容易で、ジョイント作業能率が向上する。
【実施例】
【０００８】
以下、実施例を表した図面に基づいて本発明を詳細に説明する。図１はフトン篭の施工状態の一例の斜視図、図２は法面部のユニット分解図、図３は垂面部のユニット分解図、図４は天面部のユニット分解図、図５はジョイント部の説明図である。
【０００９】
図１のフトン篭は、法面部１、垂面部２及び天面部３からなる。これら各部は、底網５、幅網６及び側網７で箱状に形成され、しかも中間に２列の側網７と多数の仕切網８を有し、これらによって多数の領域に仕切られている。
【００１０】
法面部１は本発明の実施例で、図２に示すように、ユニットＡ〜Ｆを組み立てたものである。ユニットＡ及びユニットＣは部分底網５ａ、幅網６、部分側網７ａ及び２枚の仕切網８を一体に組み立てたもので、仕切網８はジョイント端部４以外の中間部に設けられている。ユニットＢは部分底網５ａ、部分側網７ａ及び３枚の仕切網８を一体に組み立てたもので、仕切網８はジョイント端部４以外の中間部に設けられている。ユニットＤ、Ｅ、ＦはユニットＡ、Ｂ、Ｃに更に部分側網７ａを設け、両側に部分側網７ａを配置したものである。いずれのユニットも部分側網７ａの長さは部分底網５ａの長さと等しく、幅網６及び仕切網８の長さは部分底網５ａの幅と等しくなっている。
【００１１】
ユニットＡとＢをジョイントする場合、図５に示すように、任意の長さだけ重ね合わせることができる。この場合、ジョイント部のコイル線による連結は、両ユニットの部分底網どうし、及び部分側網どうしを連結すればよいので、コイル線の施工がきわめて簡単である。ユニットＢ、Ｃをジョイントする場合も、これと同様に任意の長さだけ重ね合わせることができる。ユニットＤ、Ｅ、Ｆについても同様である。ユニットＡ、Ｂ、Ｃ及びユニットＤ、Ｅ、Ｆの重ね合わせる長さを調整することで、フトン篭（法面部）の長さを調整することができる。
【００１２】
法面部１は３列で構成されているが、ユニットＡ、Ｂ、Ｃを任意の組数設けることで、任意の列数にすることができる。また、各列において、中間のユニットＢ（最終端においてはユニットＥ）の数を増やすことで、又は無くすことで任意の長さのフトン篭（法面部）とすることができる。
【００１３】
垂面部２も本発明の実施例で、図３に示すように、ユニットＧ〜Ｊを組み立てたものである。ユニットＧは部分底網５ａ、部分側網７ａ及び１枚の仕切網８を一体に組み立てたもので、仕切網８はジョイント端部４以外の中間部に設けられている。ユニットＨは部分底網５ａ、幅網６、部分側網７ａ及び２枚の仕切網８を一体に組み立てたもので、仕切網８はジョイント端部４以外の中間部に設けられている。ユニットＩ、ＪはユニットＧ、Ｈに更に部分側網７ａを設け、両側に部分側網７ａを配置したものである。いずれのユニットも部分側網７ａの長さは部分底網５ａの長さと等しく、幅網６及び仕切網８の長さは部分底網５ａの幅と等しくなっている。なお、法面部１の下端の幅網６は垂面部２の幅網も兼ねている。
【００１４】
垂面部２においても、法面部の場合と同様に、ユニットＧとＨ、ユニットＩとＪの重ね合わせる長さを調整することで、フトン篭の長さを調整することができる。ユニットの数を増減して列の数及び長さを任意にできることも同様である。
【００１５】
天面部３は、図４に示すように、ユニットＫ、Ｌを組み立てたものである。ユニットＫは部分底網５ａ、幅網６、部分側網７ａ及び１枚の仕切網８を一体に組み立てたもので、ユニットＬはユニットＫに更に部分側網７ａを設け、両側に部分側網７ａを配置したものである。天面部３は長さ調整できないものであるが、前記の垂面部２と同様の構成にすることで長さ調整可能にすることもできる。
【００１６】
各ユニットＡ〜Ｌにおいて、部分側網を別体とすることもできる。更に、部分側網は仕切網と交わる部分で切断して細分化することができる。図６はユニットＡにおいて部分側網７ａを別体とした例である。図７はユニットＡにおいて部分側網７ａを別体とすると共に部分側網７ａを仕切網と交わる部分で細分化した例である。図８はユニットＢにおいて部分側網７ａを別体とした例である。図９はユニットＢにおいて部分側網７ａを別体とすると共に部分側網７ａを仕切網と交わる部分で細分化した例である。このように、部分側網を仕切網と交わる部分で細分化すると、各ユニットを幅方向に重ね、幅調整したりカーブ施工することが可能となる。
【図面の簡単な説明】
【００１７】
【図１】フトン篭の施工状態の一例の斜視図である。
【図２】法面部のユニット分解図である。
【図３】垂面部のユニット分解図である。
【図４】天面部のユニット分解図である。
【図５】ジョイント部の説明図である。
【図６】部分側網を別体としたユニットＡの説明図である。
【図７】部分側網を別体とすると共に細分化したユニットＡの説明図である。
【図８】部分側網を別体としたユニットＢの説明図である。
【図９】部分側網を別体とすると共に細分化したユニットＢの説明図である。
【符号の説明】
【００１８】
１  法面部
２  垂面部
３  天面部
４  ジョイント端部
５  底網
６  幅網
７  側網
８  仕切網
【図１】
2006037587.tif 000003
【図２】
2006037587.tif 000004
【図３】
2006037587.tif 000005
【図４】
2006037587.tif 000006
【図５】
2006037587.tif 000007
【図６】
2006037587.tif 000008
【図７】
2006037587.tif 000009
【図８】
2006037587.tif 000010
【図９】
2006037587.tif 000011